(57)【要約】【課題】尿漏れや尿吸収パッドからの尿後戻りのおそれがなく、該パットの脱着が容易であり、着用時の位置ずれがなく、該パッドを装着していることが外観から目立たちにくく、かつ、着用感が良好である男性用パンツの提供。【解決手段】前身頃、後見頃、及び腰ゴムからなるパンツ部、並びに扁平独立ポケット部から構成される男性用パンツであって、該扁平独立ポケット部の内側と外側を反転させることで、尿吸収パットの装着、及び使用済尿吸収パッドの取出しが可能であることを特徴とする前記男性用パンツ。【選択図】図３
2018204130.tif 000002
【特許請求の範囲】
【請求項１】
前身頃（１１）、後見頃（１２）、及び腰ゴム（１３）からなるパンツ部（１０）、並びに扁平独立ポケット部（２０）から構成される男性用パンツ（３０）であって、該扁平独立ポケット部（２０）の内側と外側を反転させることで、尿吸収パットの装着、及び使用済尿吸収パッドの取出しが可能であることを特徴とする前記男性用パンツ（３０）。
【請求項２】
前記扁平独立ポケット部（２０）は、上端（２１）、所定長を隔てた閉塞下端（２２）、該上端から該所定長さの略１／４の位置に上方開口部（２３）を有し、該上方開口部（２３）を支点として該扁平独立ポケット部（２０）の内側と外側を反転させることができるものである、請求項１に記載の男性用パンツ。
【請求項３】
前記扁平独立ポケット部（２０）は、該パンツ部（１０）の肌側に配置され；上端（２１）、所定長を隔てた閉塞下端（２２）、該上端から該所定長さの略１／４の位置に上方開口部（２３）を有し；該上方開口部（２３）の直下肌側に略円形の陰茎挿入スリット（２４）を有し；該上端（２１）から該上方開口部（２３）までの前記前身頃（１１）側は、平布（２１’）で構成され、袋状ではなく；そして該扁平独立ポケットの上端（２１）は、該前見頃（１１）の中心部で該腰ゴム（１３）に所定幅をもって固定されている；請求項１又は２に記載の男性用パンツ。
【請求項４】
前記前見頃（１１）、後見頃（１２）、及び腰ゴム（１３）からなるパンツ部（１０）は、右見頃（１４）、クロッチ布（１５）、左見頃（１６）、及び腰ゴム（１３）を、右前立て接ぎ（１５ａ）、左前立て接ぎ（１５ｂ）、後中心接ぎ（１５ｃ）、股下接ぎ（１５ｄ）、及び腰ゴム接ぎ（１３ａ）による縫製で一体化されたものである、請求項１〜３のいずれか１項に記載の男性用パンツ。
【請求項５】
前記前見頃（１１）と後見頃（１２）の生地は、ベア天竺である、請求項１〜４のいずれか１項に記載の男性用パンツ。
【請求項６】
前記扁平独立ポケット部（２０）の上端（２１）から上方開口部（２３）までの平布（２１’）は、通気性素材である、請求項１〜５のいずれか１項に記載の男性用パンツ。
【請求項７】
前記扁平独立ポケット部（２０）の上方開口部（２３）から下の肌側面は、前記前身頃（１１）の素材と同一である、請求項１〜６のいずれか１項に記載の男性用パンツ。
【請求項８】
前記扁平独立ポケット部（２０）の上方開口部（２３）の幅は、閉塞下端（２２）の幅よりも広く、かつ、両側端（２５、２５’）は略直線状であるため、該扁平独立ポケット部の平面形状は、略台形である、請求項１〜７のいずれか１項に記載の男性用パンツ。
【請求項９】
前記扁平独立ポケット部（２０）の上方開口部（２３）の肌側の縁は、伸縮性テープ（２７）を前記前見頃（１１）の素材と同一の素材で内側にくるみ縫製され、かつ、該上方開口部（２３）は、該扁平独立ポケット部の内部に前記尿吸収パッドを挿入するために充分な大きさである、請求項１〜８のいずれか１項に記載の男性用パンツ。
【請求項１０】
前記扁平独立ポケット部（２０）の上方開口部（２３）から下の、前記略円形の陰茎挿入スリット（２４）を除く内側全表面が、防水布（２８）で覆われ、かつ、該扁平独立ポケット部（２０）の閉塞下端（２１）において、該防水布（２８）の一枚生地が折り返されている、請求項１〜９のいずれか１項に記載の男性用パンツ。
【請求項１１】
前記扁平独立ポケット部（２０）の上方開口部（２３）の僅かに上端側の位置から閉塞下端（２１）までの所定長さ方向の両側端（２５、２５’）、及び前記陰茎挿入スリット（２４）の縁が、それぞれ、防水布テープ（２９）で挟み縫製されている、請求項１〜１０のいずれか１項に記載の男性用パンツ。
【請求項１２】
前記扁平独立ポケット部（２０）の上端（２１）から上方開口部（２３）の直前までの平布（２１’）の両側端（２５、２５’）が、該扁平独立ポケット部（２０）の両側端（２５、２５’）の防水テープ（２９）を含んで、前記右前立て接ぎ（１５ａ）と、前記左前立て接ぎ（１５ｂ）とに、それぞれ、挟み込まれ、ふらし仕様で縫製されている、請求項１１に記載の男性用パンツ。
【請求項１３】
前記扁平独立ポケット部（２０）の閉塞下端（２２）と、前記パンツ部の後中心接ぎ（１５ｃ）を跨いで股下接ぎ（１５ｄ）とに、それぞれ、一対のスナップボタン（１２’）が縫合され、該扁平独立ポケット部（２０）の閉塞下端（２２）が、前記パンツ部（１０）に脱着可能となっている、請求項２〜１２のいずれか１項に記載の男性用パンツ。
【発明の詳細な説明】
【技術分野】
【０００１】
本発明は、尿漏れ対策を施した男性用パンツ（男性用ボトム下着ともいう。）に関する。より詳しくは、本発明は、尿漏れや尿吸収パッドからの尿後戻りのおそれがなく、該パッドの脱着が容易であり、着用時の位置ずれがなく、該パッドを装着していることが外観から目立たちにくく、かつ、着用感が良好である男性用パンツに関する。
【背景技術】
【０００２】
尿漏れとは、失禁や頻尿により排尿準備行動が間に合わず排尿に至る症状であり、その症状に適応した大人用の紙おむつなどが開発されている。かかる症状の性格から、尿漏れは介護される人や高年齢者の症状というイメージが定着しているが、近時、若年層や中年齢層においても、トイレに再々行けない状況下で尿意の我慢、冷房等での膀胱炎症状、体調不良など各々の生活環境に起因した少量の尿漏れを経験する者も多く、その対策が必要とされている。
【０００３】
特に、中年齢層以降の男性にあっては、排尿後の残尿が少量漏れ出る症状を有する者も多く、それによってパンツやズボンが汚れるという不都合がある。かかる症状がひどい場合、大人用の紙おむつを着用することも考えられるが、紙おむつは尿漏れ対策専用として使用用途が特定されると共に、見た目のシルエットも悪くなるため、スッキリとしたシルエットのものが求められている。
【０００４】
かかる状況下、失禁や頻尿による尿を吸収する尿吸収部材を通常のパンツに縫着し、尿が外部に漏れないようにした一体成形型の尿漏れ対策用パンツなどが知られているが、一体成形型パンツにあっては、外部に漏れのないように厚手の尿吸収部材を縫着するため、伸縮性に乏しく嵩張感も否めず、股間部が圧迫されて着用感に違和感がある。また、尿吸収構造に優れる半面、保水（尿）したパンツは履き替えて交換しない限り、不快感、匂いの心配等が継続するため、精神的ストレスが蓄積されるという問題がある。
【０００５】
また、尿漏れの症状には個人差があり、体調や季節環境等で尿量は変化するため、これに対応する必要があるが、一体成形型尿漏れ対策用パンツにあっては既に尿吸収部材がパンツ本体に縫着されているため、その調整対応ができず、少量の尿漏れや排尿後の残尿が少量漏れ出る症状には過度の構造ともいえ、不便である。従って、体調や季節環境等で症状が緩和したときに尿漏れ対策を不要にして通常のパンツとして使用しつつ、症状が出た場合には素速く対応できるようにしたパンツが望ましい。
【０００６】
このようなパンツとしては、例えば、普通のパンツに尿吸収体（例えば、尿吸収ライナーなど）をテープで固定して装着し、直接肌に密着させることで尿を吸収して外部に漏れないようにすることも行われているが、この場合、尿吸収体を適正な位置を定めて固定することに、即ち、尿吸収体の最適な位置決めに手間取るという問題がある。
【０００７】
かかる状況下、以下の特許文献１には、着用感を低下させることなく、尿吸収体をパンツに着用したまま容易に取り替えると共に、取り付けられた尿吸収体の位置づれズレを効果的に防止することを目的として、表クロッチ布と裏クロッチ布とを少なくとも備えたパンツにおいて、表クロッチと裏クロッチ布を重ねて縫合して尿吸収体を収容するクロッチポケットを形成すると共に、クロッチポケットに表開き口と裏開き口を形成して尿吸収体を着脱自在としたパンツが開示されている。
しかしながら、かかるパンツでは、尿吸収体の脱着は素速くなるものの、尿吸収体を収容するための部材は、パンツを構成する布帛の一部であり、また、防水加工されていないため、尿漏れがあった場合には、パンツにシミができ、ひいては、上着であるズボン等にもシミができ、さらに、着用時の尿吸収体の位置ズレが生じないとはいえないという問題点がある。
【０００８】
また、以下の特許文献２には、排尿後の残尿漏れを吸収するとともに、陰嚢及び陰茎を保持しつつ乾燥を促進させる複合機能を有するようにするために、パンツ本体と、パンツ本体の前部に設けられ、着用者の陰嚢及び陰茎を露出させる窓部と、窓部を含むパンツ本体の前部を覆い、窓部から露出される陰嚢及び陰茎を覆い隠す袋状底部が形成される布製の前布部を少なくとも有する男性用パンツが開示されている。
しかしながら、かかるパンツは、尿漏れ対策用パンツであることが外観から明らかであり、見た目が悪い。また、前布部は、ファスナ手段により開閉が容易であるため、吸水パットの脱着は容易であるものの、前布部は布製であり（防水層とすることも可能である）、袋状底部の容量は少なく、尿漏れがあった場合に、パンツの外に尿が漏れることを防止できないという問題がある。
【０００９】
また、以下の特許文献３には、下腹部・大腿部付根周辺と男性器の陰茎部・陰嚢部が直接接触するのを防いで男性器が不快感を感じたり、蒸れたりするのを抑えることができる男性器収納仕切ポケット内設型男性器ホールド下着が開示されている。
かかる男性収納仕切ポケット内設型男性器ホールド下着では、尿取りパッドを安定して維持することはできるものの、尿取りパッドの収容部は、パンツ本体の前身頃とパンツ本体の内側の仕切り布とで構成されているため、尿漏れ対策用パンツであることは外観から明らかではなく、見た目は良いものの、尿漏れがあった場合に、パンツ本体前身頃への尿シミは回避できず、パンツの外に尿が漏れることを防止できない。
【００１０】
さらに、以下の特許文献４には、尿吸収パッドのみを交換可能にした尿吸収パッド交換式パンツが開示されている。かかるパンツでは、パンツの股部内側に尿吸収パッドを挿入できるポケットが設けられ、同パンツの前身頃に立体的な膨らみをもたせるためのタックが設けられ、陰茎が安定保持され、陰部あたりの裏地に尿吸収パッドの出し入れを可能にする開口部がパンツの外側に設けられ、尿吸収パッドそのものに排尿できると記載されている。
しかしながら、かかるパンツでは、着用時の尿吸収パッドのズレは回避できず、また、尿吸収パッドは、パンツ股部の表生地に接して収容されるため、尿漏れがあった場合、パンツへのシミは回避できないし、パンツの外に尿が漏れることを防止できない。また、尿吸収パッドの出し入れを可能にする開口部がパンツの外側に設けられているので、尿漏れ対策用パンツであることは外観から明らかであり、見た目も悪い。
【先行技術文献】
【特許文献】
【００１１】
【特許文献１】特開２００８−２０３０号公報
【特許文献２】特開２０１３−２０９７５５号公報
【特許文献３】特許２０１５−１０２９９号公報
【特許文献４】実用新案登録第３１９９２１２号公報
【発明の概要】
【発明が解決しようとする課題】
【００１２】
前記した従来技術の問題点に鑑み、本発明が解決しようとする課題は、尿漏れや尿吸収パットからの尿後戻りのおそれがなく、該パッドの脱着が容易であり、着用時の位置ずれがなく、かつ、該パッドを装着していることが外観から目立たちにくく、かつ、着用感が良好である男性用パンツを提供することである。
【課題を解決するための手段】
【００１３】
本願発明者らは、前記課題を解決すべく鋭意検討した結果、裏返すことができる所定の防水仕様の扁平独立ポケット部を、パンツ部とは独立して、パンツ部の肌側の所定の位置に所定の方法で取付けることにより、前記課題を解決しうることを見出し、本発明を完成するに至ったものである。
【００１４】
すなわち、本発明は以下のとおりのものである。
［１］前身頃（１１）、後見頃（１２）、及び腰ゴム（１３）からなるパンツ部（１０）、並びに扁平独立ポケット部（２０）から構成される男性用パンツ（３０）であって、該扁平独立ポケット部（２０）の内側と外側を反転させることで、尿吸収パットの装着、及び使用済尿吸収パッドの取出しが可能であることを特徴とする前記男性用パンツ（３０）。
［２］前記扁平独立ポケット部（２０）は、上端（２１）、所定長を隔てた閉塞下端（２２）、該上端から該所定長さの略１／４の位置に上方開口部（２３）を有し、該上方開口部（２３）を支点として該扁平独立ポケット部（２０）の内側と外側を反転させることができるものである、前記［１］に記載の男性用パンツ。
［３］前記扁平独立ポケット部（２０）は、該パンツ部（１０）の肌側に配置され；上端（２１）、所定長を隔てた閉塞下端（２２）、該上端から該所定長さの略１／４の位置に上方開口部（２３）を有し；該上方開口部（２３）の直下肌側に略円形の陰茎挿入スリット（２４）を有し；該上端（２１）から該上方開口部（２３）までの前記前身頃（１１）側は、平布（２１’）で構成され、袋状ではなく；そして該扁平独立ポケットの上端（２１）は、該前見頃（１１）の中心部で該腰ゴム（１３）に所定幅をもって固定されている；前記［１］又は［２］に記載の男性用パンツ。
［４］前記前見頃（１１）、後見頃（１２）、及び腰ゴム（１３）からなるパンツ部（１０）は、右見頃（１４）、クロッチ布（１５）、左見頃（１６）、及び腰ゴム（１３）を、右前立て接ぎ（１５ａ）、左前立て接ぎ（１５ｂ）、後中心接ぎ（１５ｃ）、股下接ぎ（１５ｄ）、及び腰ゴム接ぎ（１３ａ）による縫製で一体化されたものである、前記［１］〜［３］のいずれかに記載の男性用パンツ。
［５］前記前見頃（１１）と後見頃（１２）の生地は、ベア天竺である、前記［１］〜［４］のいずれかに記載の男性用パンツ。
［６］前記扁平独立ポケット部（２０）の上端（２１）から上方開口部（２３）までの平布（２１’）は、通気性素材である、前記［１］〜［５］のいずれかに記載の男性用パンツ。
［７］前記扁平独立ポケット部（２０）の上方開口部（２３）から下の肌側面は、前記前身頃（１１）の素材と同一である、前記［１］〜［５］のいずれかに記載の男性用パンツ。
［８］前記扁平独立ポケット部（２０）の上方開口部（２３）の幅は、閉塞下端（２２）の幅よりも広く、かつ、両側端（２５、２５’）は略直線状であるため、該扁平独立ポケット部の平面形状は、略台形である、前記［１］〜［７］のいずれかに記載の男性用パンツ。
［９］前記扁平独立ポケット部（２０）の上方開口部（２３）の肌側の縁は、伸縮性テープ（２７）を前記前見頃（１１）の素材と同一の素材で内側にくるみ縫製され、かつ、該上方開口部（２３）は、該扁平独立ポケット部の内部に前記尿吸収パッドを挿入するために充分な大きさである、前記［１］〜［８］のいずれかに記載の男性用パンツ。
［１０］前記扁平独立ポケット部（２０）の上方開口部（２３）から下の、前記略円形の陰茎挿入スリット（２４）を除く内側全表面が、防水布（２８）で覆われ、かつ、該扁平独立ポケット部（２０）の閉塞下端（２１）において、該防水布（２８）の一枚生地が折り返されている、前記［１］〜［９］のいずれかに記載の男性用パンツ。
［１１］前記扁平独立ポケット部（２０）の上方開口部（２３）の僅かに上端側の位置から閉塞下端（２１）までの所定長さ方向の両側端（２５、２５’）、及び前記陰茎挿入スリット（２４）の縁が、それぞれ、防水布テープ（２９）で挟み縫製されている、前記［１］〜［１０］のいずれかに記載の男性用パンツ。
［１２］前記扁平独立ポケット部（２０）の上端（２１）から上方開口部（２３）の直前までの平布（２１’）の両側端（２５、２５’）が、該扁平独立ポケット部（２０）の両側端（２５、２５’）の防水テープ（２９）を含んで、前記右前立て接ぎ（１５ａ）と、前記左前立て接ぎ（１５ｂ）とに、それぞれ、挟み込まれ、ふらし仕様で縫製されている、前記［１１］に記載の男性用パンツ。
［１３］前記扁平独立ポケット部（２０）の閉塞下端（２２）と、前記パンツ部の後中心接ぎ（１５ｃ）を跨いで股下接ぎ（１５ｄ）とに、それぞれ、一対のスナップボタン（１２’）が縫合され、該扁平独立ポケット部（２０）の閉塞下端（２２）が、前記パンツ部（１０）に脱着可能となっている、前記［２］〜［１２］のいずれかに記載の男性用パンツ。
【発明の効果】
【００１５】
本発明に係る男性用パンツは、尿漏れや尿吸収パッドからの尿後戻りのおそれがなく、該パッドの脱着が容易であり、着用時の位置ずれがなく、該パッドを装着していることが外観から目立たちにくく、かつ、着用感が良好である。
【図面の簡単な説明】
【００１６】
【図１】本実施形態の男性用パンツの斜視図である。
【図２】本実施形態の男性用パンツの側面図である。
【図３】本実施形態に男性用パンツのパンツ部を裏返した状態の正面図である。前見頃は、右見頃とクロッチ布と左見頃を縫製して一体化されたものを指す。
【図４】本実施形態の男性用パンツのパンツ部を裏返した状態の背面図である。後見頃は、左見頃とクロッチ布と右見頃を縫製して一体化されたものを指す。
【図５】本実施形態の男性用パンツを裏返したときの正面図である。尚、扁平独立ポケット部の表は肌側をいう。
【図６】本実施形態の男性用パンツを裏返したときの透視背面図である。
【図７】本実施形態の扁平独立ポケット部の表（肌）側正面図と、前身頃側から見た内側透視図である。
【図８】本実施形態の扁平独立ポケット部の上方開口部を支点として、該ポケット部の内側と外側を反転させることで、尿吸収パッドを装着する方法の説明するための図面に変わる写真である。
【発明を実施するための形態】
【００１７】
以下、添付図面を参照して、本発明の実施形態を詳細に説明する。
本実施形態の男性用パンツは、前身頃（１１）、後見頃（１２）、及び腰ゴム（１３）からなるパンツ部（１０）、並びに扁平独立ポケット部（２０）から構成される男性用パンツ（３０）であって、該扁平独立ポケット部（２０）の内側と外側を反転させることで、尿吸収パットの装着、及び使用済尿吸収パッドの取出しが可能であることを特徴とする。
また、扁平独立ポケット部（２０）は、上端（２１）、所定長を隔てた閉塞下端（２２）、該上端から該所定長さの略１／４の位置に上方開口部（２３）、及び該上方開口部の直下肌側に略円形の陰茎挿入スリット（２４）を、有する、ここで、該上端（２１）から該上方開口部（２３）までの前記前身頃（１１）側は、平布（２１’）で構成され、袋状ではないことが好ましい。さらに、扁平独立ポケット部（２０）は、該パンツ部（１０）の肌側に配置され、かつ、該扁平独立ポケットの上端（２１）は、該前見頃（１１）の中心部で該腰ゴム（１３）に所定幅をもって固定されていることが好ましい。
【００１８】
［パンツ部］
図１に示すように、本実施形態の男性用パンツ（３０）のパンツ部（１０）は、前身頃（１１）、後見頃（１２）、及び腰ゴム（１３）からなる。
図３と４に示すように、本明細書中、前身頃（１１）とは、パンツ部（１０）の前面を上にして平面上に広げた場合に、現れる部分をいい、後見頃（１２）とは、パンツ部（１０）の背面（後面）を上にして平面上に広げた場合に現れる部分をいう。例えば、図３と図４の態様においては、前見頃（１１）は、右見頃（１４）、クロッチ（股下）布（１５）、及び左見頃（１６）が前面に現れる部分で構成され、後見頃（１２）は、右見頃（１４）、クロッチ（股下）布（１５）、及び左見頃（１６）が背面に現れる部分で構成されている。
【００１９】
パンツ本体（３０）として機能するためには、着用者の身体の腰部と、大腿部２つとが、開口した形態であることが必要であるが、布帛を用いてかかる形態を呈するものを作製する場合には様々な方法が知られている。例えば、１つの丸編地として形成し、腰ゴム（１３）と縫製して一体化する方法；図３と４に示すように、右見頃（１４）、クロッチ（股下）布（１５）、左見頃（１６）、及び腰ゴム（１３）を、右前立て接ぎ（１５ａ）、左前立て接ぎ（１５ｂ）、後中心接ぎ（１５ｃ）、股下接ぎ（１５ｄ）、及び腰ゴム接ぎ（１３ａ）による縫製で一体化する方法；前身頃と後見頃を股下部で縫製し、これを腰ゴム（１３）と縫合して一体化する方法；左右２つの前見頃、１つのクロッチ布、１つの後見頃をパンツ側方で縫製し、これを腰ゴム（１３）と縫製して一体化する方法；等であることができる。
本実施形態の男性用パンツ（３０）の作製方法は、特に制限はなく、従来知られた方法のいずれかの作製されたものと包含する。また、本実施形態の男性用パンツのパンツ部の丈は、一般的な股上丈のレギュラー丈、やや短いセミショート丈、短いショート丈のいずれでもよく、その他市販のいずれの丈のものでも構わない。換言すれば、本実施形態の男性用パンツ（３０）は、市販の普通のパンツであることができる。市販の普通のパンツであれば、その身体側に以下に説明する扁平独立ポケット部（２０）が配置されていても、尿漏れ用パンツであることは外観上明らかではなく、見た目が良い。
本実施形態の男性用パンツのパンツ部（１０）の前見頃と後見頃の生地の素材は、特に制限はないが、伸縮性、着用感、通気性の観点から、好ましくはベア天竺である。
【００２０】
本明細書中、腰ゴム（１３）とは、着用者の腰まわりを比較的しっかりと締付けることができるものである限り特に制限はないが、伸縮性材料からなり、腰天幅は身体サイズに応じて適宜調整可能であるものが好ましい。腰ゴム（１３）は、文字通りゴム材料を含有することは必ずしも必要ではなく、ポリウレタン繊維等の弾性繊維や、伸縮性編地などで構成されていてもよい。本実施形態の男性用パンツ（３）のパンツ部（１０）は、前記したように、市販の普通のパンツであることができるので、腰ゴム（１３）は、市販の普通のパンツに見られる従来公知のいずれのものであっても構わない。しかしながら、本実施形態の男性用パンツ（３０）においては、パンツ部（１０）の腰ゴム（１３）に、扁平独立ポケット部（２０）を固定して、着用時の尿吸収パッドの変位を抑制する必要があるため、腰ゴム（１３）は、着用者の腰まわりを比較的しっかりと締付けることができるものであることが好ましい。
【００２１】
［扁平独立ポケット部］
図７に示すように、本実施形態の扁平独立ポケット部（２０）は、上端（２１）、所定長を隔てた閉塞下端（２２）、該上端から該所定長さの略１／４の位置に上方開口部（２３）、及び該上方開口部（２３）の直下肌側に略円形の陰茎挿入スリット（２４）を、有する。ここで、該上端（２１）から該上方開口部（２３）までの前記前身頃側（１１）は、平布（２１’）で構成され、袋状ではない。扁平独立ポケット部（２０）は、例えば、ベア天竺に、防水布（２８）を積層し、これを閉塞下端（２２）で、防水布（２８）を内側にして折り曲げ、扁平独立ポケット部（２０）の上方開口部（２３）の僅かに上端側の位置から閉塞下端（２２）までの所定長さ方向の両側端（２５、２５’）、及び前記陰茎挿入スリット（２４）の縁が、それぞれ、防水布テープ（２９）で挟み縫製することにより作製することができる。防水布テープ（２９）の幅は、約１．８ｃｍであることができる。また、陰茎挿入スリット（２４）の開口部は、図５、７に示すように、略円形であることができる。さらに、閉塞下端（２２）には防水布（２８）の縫製箇所を設けないことで、扁平独立ポケット部（２０）に、仮に水を注いだ場合であっても、ポケット内に水が溜まり、外部への漏れ防止を効果的に抑制することができる。また、両側端（２５、２５’）の防水テープ（２９）の適度な剛性により、扁平独立ポケット部（２０）の形状が安定する。扁平独立ポケット部（２０）の上端（２１）から上方開口部（２３）までの平布（２１’）は、防水布（２８）を被覆したものではなく、厚みを軽減した通気性素材、例えば、ベア天竺であることができる。これにより、ムレを防止し、着用感が向上する。この場合、パンツ本体の素材がベア天竺であれば、扁平独立ポケット部（２０）の上方開口部（２３）から下の肌側面は、前記前身頃（１１）の素材と同一とすることにより着用感の良いものとすることができる。尚、扁平独立ポケット部（２０）の前見頃側（１１）の素材は、ベア天竺でなくてもよい。
【００２２】
図５、７に示すように、扁平独立ポケット部（２０）の上方開口部（２３）の幅は、閉塞下端（２２）の幅よりも広く、かつ、両側端（２５、２５’）は略直線状であるため、該扁平独立ポケット部（２０）の平面形状は、略台形であることができる。本実施形態の扁平独立ポケット部（２０）は、その内側に、市販の尿吸収パッドを収納することを想定しているため、扁平独立ポケット部（２０）の平面形状は、市販の尿吸収パットを使用展開時の形状と略同一であることが好ましい。例えば、ユニチャーム社製、ライフリー男性用さわやかうす型パッド２００ｃｃ（登録商標）の使用展開時の形状は、上辺１８ｃｍ程度、下辺（底辺）１０ｃｍ程度、高さ（長さ）２６ｃｍ程度の略台形であり、厚みは３〜５ｍｍ程度である。尚、かかる市販の尿吸収パッドは、前側ワイド形状（幅１８ｃｍ）、幅方向両端にホールドギャザー（登録商標）を、そして下部にエンドガード（登録商標）を備えており、アウターに響かない３〜５ｍｍの薄さ、カップ形状で局部を包み込み、ニオイを閉じ込める消臭ポリマーを配合することにより目立たない工夫がされており、かつ、ボクサーブリーフなどのぴったりとした下着にしっかりと固定するためのズレ止めテープが設けられている。本実施形態の扁平独立ポケット部（２０）は、その内側に、このような市販の尿吸収パッドを収納し、かつ、ズレ止めテープで確実に保持することができる。
【００２３】
図７に示すように、扁平独立ポケット部（２０）の上方開口部（２３）の肌側の縁（２６）は、伸縮性テープ（２７）を前記前見頃（１１）の素材と同一の素材で内側にくるみ縫製され、かつ、該上方開口部（２３）は、該扁平独立ポケット部（２０）の内部に前記尿吸収パットを挿入するために充分な大きさであることができる。扁平独立ポケット部（２０）の上方開口部（２３）の肌側の縁は、伸縮性テープ（２７）によりテンションが付与され、これにより、扁平独立ポケット部（２０）の内側と外側を反転させない状態においても尿吸収パットの装着及び使用済尿吸収パッドの取出しが可能となり、上方開口部（２３）の過度な広がりが抑制され、扁平独立ポケット部（２０）内の尿吸収パッドの変位も抑制される。例えば、扁平独立ポケット部（２０）の上方開口部（２３）の幅は、着用前の状態で１３ｃｍ程度であることができる。
【００２４】
図５、７に示すように、本実施形態の扁平独立ポケット部（２０）の上端（２１）から上方開口部（２３）までの前身頃側（１１）は、平布（２１’）で構成され、袋状ではない。以下に説明するように、上端（２１）の幅は、着用前の状態で約１６ｃｍであり、上方開口部（２３）から上端（２１）までの長さ（高さ）は、上端（２１）から閉塞下端（２２）までの所定長さの略１／４の位置にあるが、例えば、約７ｃｍであることができる。上端（２１）から閉塞下端（２２）までの所定長さは、例えば、約２７ｃｍであることができるので、その場合、その略１／４は、約７ｃｍとなる。この長さ（高さ）は、着用者の身体のサイズに応じて適当なものであることが望ましい。かかる長さが、大きすぎると、扁平独立ポケット（２０）の着用時の変位を抑制することができない。また、平布（２１’）が伸縮性、通気性材料でないと、着用感が悪くなるおそれがある。
【００２５】
また、図５、７に示すように、上方開口部（２３）の直下肌側には、略円形の陰茎挿入スリット（２４）があるが、この開口部の形状は、陰茎を挿入するために略円形であることが好ましい。本実施形態の扁平独立ポケット部（２０）では、前記したように、上方開口部（２３）を所定の高さに配置し、かつ、かかる上方開口部（２３）の直下肌側には、略円形の陰茎挿入スリット（２４）の開口部を配置している。これにより、陰茎先端から排出された尿が扁平独立ポケット部（２０）内に装着された尿吸収パッドの比較的上部で吸収され、ここで吸収されることができなかった尿は、落下しながら尿吸収パッドの中央部から下部にかけて吸収されるようになる。
【００２６】
［パンツ部と扁平独立ポケット部の結合］
図１、２に示すように、本実施形態の男性用パンツ（３０）では、扁平独立ポケット部（２０）は、パンツ部（１０）の肌側に配置され、また、図５に示すように、扁平独立ポケット部（２０）の上端（２１）は、前見頃（１１）の中心部で腰ゴム（１３）に所定幅をもって固定されていることを特徴とする。扁平独立ポケット部（２０）の上端（２１）が腰ゴム（１３）に固定されるところの所定幅は、着用前の状態で１６ｃｍ程度であることができる。また、図５に示すように、扁平独立ポケット部（２０）の上端（２１）から上方開口部（２３）の直前までの平布（２１’）の両側端（２５、２５’）が、扁平独立ポケット部（２０）の両側端（２５、２５’）の防水テープ（２９）を含んで、右前立て接ぎ（１５ａ）と、左前立て接ぎ（１５ｂ）とに、それぞれ、挟み込まれ、ふらし仕様で縫製されることができる。これは、扁平独立ポケット部（２０）の両側端（２５、２５’）の防水テープ（２９）の適度な剛性と相俟って、扁平独立ポケット部（２０）の形状を安定させる。身体の腰周りに、所定のテンションで固定されるパンツ部（１０）の腰ゴム（１３）に、所定幅で固定されることにより、扁平独立ポケット部（２０）は、着用時に男性器に対して最適な位置に配置され、また、変位が抑制される。このような扁平独立ポケット部（２０）のパンツ部（１０）への結合により、扁平独立ポケット部（２０）内に収容された尿吸収パッドは、着用者が起立したとき、略垂直な状態となり、扁平独立ポケット部（２０）の陰茎挿入スリット（２４）を貫通した陰茎戦隊から尿吸収パッドに向けて放出された尿は、尿吸収パッドの比較的上部の位置でこれに吸収されることになり、前記したように、仮にこの位置で吸収されることができなかった尿が滝にように下に流れていったとしても尿吸収パッドの中央部から下部までの間で尿吸収が可能となる。さらに、たとえ、尿吸収パッドにより吸収が不完全であったとしても、前記したように、扁平独立ポケット部（２０）には防水加工が施されているため、扁平独立ポケット部（２０）の内から外へ尿が漏れ出すことを効果的に抑制することができる。尚、一度に排尿される量に応じて、予め、尿吸収パッドのサイズや仕様を選定しておくことが必要であることはいうまでもない。
【００２７】
図６、７に示すように、本実施形態の男性用パンツ（３０）においては、扁平独立ポケット部（２０）の閉塞下端（２２）と、パンツ部（１０）の後中心接ぎ（１５ｃ）を跨いで股下接ぎ（１５ｄ）とに、それぞれ、一対のスナップボタン（１２’）が縫合され、扁平独立ポケット部（２０）の閉塞下端（２２）が、パンツ部（１０）に脱着可能となっていることが好ましい。これにより、扁平独立ポケット部（２０）の着用時の変位を抑制しつつ、以下に説明する扁平独立ポケット部（２０）内部への尿吸収パッドの装着時には、スナップボタンをはずすことで、上方開口部を支点として、扁平独立ポケット部（２０）の内側と外側を反転させることができ、尿吸収パッドの確実な装着が可能となる。
【００２８】
［扁平独立ポケット部内部への尿吸収パッドの装着］
図８を参照して、扁平独立ポケット部（２０）内部への市販の尿吸収パッドの装着方法を説明する。
本実施形態の男性用パンツ（３０）を裏返し（丸１）、後見頃（１２）の股下接ぎ（１５ｄ）に縫合されたスナップボタン（１２’）を外し（丸２）、前身頃（１１）を表にし、ポケット内部に上から手をいれて閉塞下端（２２）の生地を持って引き上げて、上方開口部（２３）を支点として、扁平独立ポケット部（２０）の内側と外側を反転させる（丸３）、扁平独立ポケット部（２０）を下に折り、ポケット内面の防水布に、ズレ止めテープを有する市販の略台形の尿吸収パッドを、大きい方の上辺を上にして、ズレ止めテープで貼付し（丸４）、扁平独立ポケット部（２０）を上に折り（丸５）、そしてポケット内部に下から手を入れて、閉塞下端（２２）の生地を持って引き下げて、上方開口部（２３）を支点として、扁平独立ポケット部（２０）の内側と外側を反転させる（丸６）。こうして、市販の略台形の尿吸収パッドは、同じく略台形の扁平独立ポケット部（２０）の内に装着され、扁平独立ポケット部（２０）の内側に配された一般に表面がなめらかな防水布（２８）の表面に、ズレ止めテープで確実に固定されることができる。すなわち、本実施形態の男性用パンツ（３０）では、パンツ部（１０）の腰ゴム（１３）に対して所定の位置に固定された扁平独立ポケット部（２０）内に、ズレ止めテープで確実に固定されて、装着されるため、着用時の尿吸収パッドの変位は抑制される。他方、仕様済尿吸収パッドは、扁平独立ポケットの上部開口部（２３）の上からポケット内部に手を入れ、掴み引き出すことにより、簡単に取り出すことができる。
【産業上の利用可能性】
【００２９】
本発明に係る男性用パンツは、尿漏れや尿吸収パッドからの尿後戻りのおそれがなく、該パッドの脱着が容易であり、着用時の位置ずれがなく、該パッドを装着していることが外観から目立たちにくく、かつ、着用感が良好であるため、尿漏れ対策を施した男性用パンツとして好適に利用可能である。
【符号の説明】
【００３０】
１０    パンツ部
１１    前身頃
１２    後見頃
１２’  スナップボタン
１３    腰ゴム
１３ａ  腰ゴム接ぎ
１４    右見頃
１５    クロッチ布（股下布）
１５ａ  右前立て接ぎ
１５ｂ  左前立て接ぎ
１５ｃ  後中心接ぎ
１５ｄ  股下接ぎ及びによる縫製
１６    左見頃
２０    扁平独立ポケット部
２１    上端
２１’  上端から上方開口部までの平布
２２    閉塞下端
２３    上方開口部
２４    陰茎挿入スリット
２５    前記扁平独立ポケット部の両側端の１
２５’  前記扁平独立ポケット部の両側端の他
２６    扁平独立ポケット部の上方開口部の肌側の縁
２７    伸縮性テープ
２８    防水布
２９    防水布テープ
３０    男性用パンツ
【図１】
2018204130.tif 000003
【図２】
2018204130.tif 000004
【図３】
2018204130.tif 000005
【図４】
2018204130.tif 000006
【図５】
2018204130.tif 000007
【図６】
2018204130.tif 000008
【図７】
2018204130.tif 000009
【図８】
2018204130.tif 000010